(57)【要約】  燃料電池システムＦＣＳは、燃料電池ＦＣと、燃料電池ＦＣに接続されたモータＥＳ４とを備えると共に、燃料電池ＦＣの出力電圧を昇圧してモータＥＳ４に出力するＦＣ昇圧コンバータＥＳ６と、インバータＥＳ３と、燃料電池ＦＣ、ＦＣ昇圧コンバータＥＳ６、及びインバータＥＳ３を制御するコントローラＥＣと、を備え、ＦＣ昇圧コンバータＥＳ６及びインバータＥＳ３の一方に異常が発生した場合に、コンバータ制御部ＥＣａ１及びインバータ制御部ＥＣｂ１を経由せずに他方に異常信号が伝達され、ＦＣ昇圧コンバータＥＳ６及びインバータＥＳ３の双方を停止させることができる。
2011013213.tif 000002
【特許請求の範囲】
【請求項１】
燃料電池と、前記燃料電池に接続された負荷とを備える燃料電池システムであって、
前記燃料電池と前記負荷との間に接続され、前記燃料電池の出力電圧を昇圧して前記負荷に出力するコンバータと、
前記コンバータから出力された直流電力を交流電力に変換して前記負荷へ出力するインバータと、
前記燃料電池、前記コンバータ、及び前記インバータを制御する制御部と、を備えると共に、
前記コンバータは前記制御部と信号の授受を行って当該コンバータを制御するコンバータ制御部を有し、前記インバータは前記制御部と信号の授受を行って当該インバータを制御するインバータ制御部を有し、
前記コンバータ及び前記インバータの一方に異常が発生した場合に、前記コンバータ制御部及び前記インバータ制御部を経由せずに他方にその異常発生を報知するための異常信号が伝達され、前記コンバータ及び前記インバータの双方を停止させることを特徴とする燃料電池システム。
【発明の詳細な説明】
【技術分野】
【０００１】
本発明は、燃料電池とそれに接続された負荷とを備える燃料電池システムに関する。
【背景技術】
【０００２】
燃料電池とそれに接続された負荷とを備える燃料電池システムとして、燃料電池の出力電圧を第１のＤＣ／ＤＣコンバータで昇圧して負荷に出力するとともに、負荷に必要な電力が燃料電池の出力だけでは不足するときにその不足分を蓄電装置から第２のＤＣ／ＤＣコンバータを介して前記負荷に出力し、燃料電池の出力電力が負荷の電力を超過するときには前記第１のＤＣ／ＤＣコンバータおよび第２のＤＣ／ＤＣコンバータを介して燃料電池から蓄電装置に電力を供給して蓄電装置を充電するシステムが知られている（例えば、特許文献１参照）。【０００３】
下記特許文献１に記載の燃料電池システムにおける制御装置は、負荷としてのモータの目標電力を算出し、その目標電力に応じてモータの目標電圧を算出し、燃料電池の目標出力電流を算出し、その目標出力電流を第１のＤＣ／ＤＣコンバータの目標電流としてフィードバック制御し、モータの目標電圧を第２のＤＣ／ＤＣコンバータの目標電圧としてフィードバック制御するものである。また、第２のＤＣ／ＤＣコンバータから出力された直流電力を交流電力に変換してモータに出力するインバータを備えている。
【先行技術文献】
【特許文献】
【０００４】
【特許文献１】特開２００７−３１８９３８号公報
【発明の概要】
【発明が解決しようとする課題】
【０００５】
上記特許文献１に記載の技術において、例えば電力供給源であって昇圧コンバータである第１のＤＣ／ＤＣコンバータに異常が発生し駆動停止となった場合、電力消費先であるインバータ（モータ）の停止が遅れると、正常であるバッテリコンバータである第２のＤＣ／ＤＣコンバータから大電流を引いてしまい、第２のＤＣ／ＤＣコンバータや蓄電装置が破損に至るおそれがある。【０００６】
一方、電力消費先であるインバータ（モータ）に異常が発生し駆動停止となった場合、第１のＤＣ／ＤＣコンバータの停止が遅れると、余剰電力の消費先が無くなり、昇圧後の電圧が過度に上昇してしまい、第１のＤＣ／ＤＣコンバータが破損に至るおそれがある。【０００７】
従って、燃料電池の昇圧コンバータである第１のＤＣ／ＤＣコンバータやインバータに異常が発生した場合、それら異常が発生した機器のみならず他の機器も即座に停止する必要がある。しかしながら、従来の技術では燃料電池システム全体を制御する制御部に異常が発生したことを報知する信号を送信し、その信号に基づいて制御部が各部を停止する処理を行っているため、制御部における情報処理が介在することになり即座に各部を停止することができなかった。【０００８】
本発明はこのような課題に鑑みてなされたものであり、その目的は、昇圧コンバータやインバータに異常が発生した場合であっても、他の部分が破損しないように構成した燃料電池システムを提供することにある。
【課題を解決するための手段】
【０００９】
上記課題を解決するために本発明に係る燃料電池システムは、燃料電池と、前記燃料電池に接続された負荷とを備える燃料電池システムであって、前記燃料電池と前記負荷との間に接続され、前記燃料電池の出力電圧を昇圧して前記負荷に出力するコンバータと、前記コンバータから出力された直流電力を交流電力に変換して前記負荷へ出力するインバータと、前記燃料電池、前記コンバータ、及び前記インバータを制御する制御部と、を備えると共に、前記コンバータは前記制御部と信号の授受を行って当該コンバータを制御するコンバータ制御部を有し、前記インバータは前記制御部と信号の授受を行って当該インバータを制御するインバータ制御部を有し、前記コンバータ及び前記インバータの一方に異常が発生した場合に、前記コンバータ制御部及び前記インバータ制御部を経由せずに他方にその異常発生を報知するための異常信号が伝達され、前記コンバータ及び前記インバータの双方を停止させることを特徴とする。【００１０】
本発明によれば、コンバータ及びインバータの一方に異常が発生した場合に、コンバータ制御部及びインバータ制御部を経由せずに他方にその異常発生を報知するための異常信号が伝達されるので、コンバータ制御部やインバータ制御部並びに制御部における情報処理を介在させずに迅速に異常信号を他方に伝達することができる。従って、コンバータ及びインバータの一方に異常が発生した場合に、その異常の発生とほぼ同時にコンバータ及びインバータの双方を停止させることが可能となり、電力供給源及び電力消費先の双方を即時停止させることで更なる異常の発生や破損を防止することができる。
【発明の効果】
【００１１】
本発明によれば、昇圧コンバータやインバータに異常が発生した場合であっても、他の部分が破損しないように構成した燃料電池システムを提供することができる。
【図面の簡単な説明】
【００１２】
【図１】本発明の実施形態である燃料電池システムの構成を示す図である。
【図２】図１に示す燃料電池システムのＦＣ昇圧コンバータ及びトラクションインバータを含む部分について示した図である。
【発明を実施するための形態】
【００１３】
以下、添付図面を参照しながら本発明の実施の形態について説明する。説明の理解を容易にするため、各図面において同一の構成要素に対しては可能な限り同一の符号を付して、重複する説明は省略する。
【００１４】
最初に、本発明の実施形態である燃料電池車両に搭載される燃料電池システムＦＣＳについて図１を参照しながら説明する。図１は燃料電池車両の車載電源システムとして機能する燃料電池システムＦＣＳのシステム構成を示す図である。燃料電池システムＦＣＳは、燃料電池自動車（ＦＣＨＶ）、電気自動車、ハイブリッド自動車などの車両に搭載することができる。
【００１５】
燃料電池システムＦＣＳは、燃料電池ＦＣと、酸化ガス供給系ＡＳＳと、燃料ガス供給系ＦＳＳと、電力系ＥＳと、冷却系ＣＳと、コントローラＥＣとを備えている。燃料電池ＦＣは、反応ガス（燃料ガス、酸化ガス）の供給を受けて発電するものである。酸化ガス供給系ＡＳＳは、酸化ガスとしての空気を燃料電池ＦＣに供給するための系である。燃料ガス供給系ＦＳＳは、燃料ガスとしての水素ガスを燃料電池ＦＣに供給するための系である。電力系ＥＳは、電力の充放電を制御するための系である。冷却系ＣＳは、燃料電池ＦＣを冷却するための系である。コントローラＥＣ（制御部）は、燃料電池システムＦＣＳ全体を統括制御するコントローラである。
【００１６】
燃料電池ＦＣは、多数のセル（アノード、カソード、及び電解質を備える単一の電池（発電体））を直列に積層してなる固体高分子電解質形のセルスタックとして構成されている。燃料電池ＦＣでは、通常の運転において、アノードにおいて（１）式の酸化反応が生じ、カソードにおいて（２）式の還元反応が生じる。燃料電池ＦＣ全体としては（３）式の起電反応が生じる。
【００１７】
Ｈ2→２Ｈ+＋２ｅ-                      （１）
（１／２）Ｏ2＋２Ｈ+＋２ｅ-→Ｈ2Ｏ        （２）
Ｈ2＋（１／２）Ｏ2→Ｈ2Ｏ                （３）
【００１８】
酸化ガス供給系ＡＳＳは、酸化ガス流路ＡＳ３と酸化オフガス流路ＡＳ４とを有している。酸化ガス流路ＡＳ３は、燃料電池ＦＣのカソードに供給される酸化ガスが流れる流路である。酸化オフガス流路ＡＳ４は、燃料電池ＦＣから排出される酸化オフガスが流れる流路である。
【００１９】
酸化ガス流路ＡＳ３には、エアコンプレッサＡＳ２と、加湿器ＡＳ５とが設けられている。エアコンプレッサＡＳ２は、フィルタＡＳ１を介して大気中から酸化ガスを取り込むためのコンプレッサである。加湿器ＡＳ５は、エアコンプレッサＡＳ２により加圧される酸化ガスを加湿するための加湿器である。
【００２０】
酸化オフガス流路ＡＳ４には、圧力センサＳ６と、背圧調整弁Ａ３と、加湿器ＡＳ５とが設けられている。背圧調整弁Ａ３は、酸化ガス供給圧を調整するための弁である。加湿器ＡＳ５は、酸化ガス（ドライガス）と酸化オフガス（ウェットガス）との間で水分交換するためのものとして設けられている。
【００２１】
燃料ガス供給系ＦＳＳは、燃料ガス供給源ＦＳ１と、燃料ガス流路ＦＳ３と、循環流路ＦＳ４と、循環ポンプＦＳ５と、排気排水流路ＦＳ６とを有している。燃料ガス流路ＦＳ３は、燃料ガス供給源ＦＳ１から燃料電池ＦＣのアノードに供給される燃料ガスが流れる流路である。循環流路ＦＳ４は、燃料電池ＦＣから排出される燃料オフガスを燃料ガス流路ＦＳ３に帰還させるための流路である。循環ポンプＦＳ５は、循環流路ＦＳ４内の燃料オフガスを燃料ガス流路ＦＳ３に圧送するポンプである。排気排水流路ＦＳ６は、循環流路ＦＳ４に分岐接続される流路である。
【００２２】
燃料ガス供給源ＦＳ１は、例えば、高圧水素タンクや水素吸蔵合金などで構成され、高圧（例えば、３５ＭＰａ〜７０ＭＰａ）の水素ガスを貯蔵するものである。遮断弁Ｈ１を開くと、燃料ガス供給源ＦＳ１から燃料ガス流路ＦＳ３に燃料ガスが流出する。燃料ガスは、レギュレータＨ２やインジェクタＦＳ２により、例えば、２００ｋＰａ程度まで減圧されて、燃料電池ＦＣに供給される。
【００２３】
燃料ガス流路ＦＳ３には、遮断弁Ｈ１と、レギュレータＨ２と、インジェクタＦＳ２と、遮断弁Ｈ３と、圧力センサＳ４とが設けられている。遮断弁Ｈ１は、燃料ガス供給源ＦＳ１からの燃料ガスの供給を遮断又は許容するための弁である。レギュレータＨ２は、燃料ガスの圧力を調整するものである。インジェクタＦＳ２は、燃料電池ＦＣへの燃料ガス供給量を制御するものである。遮断弁Ｈ３は、燃料電池ＦＣへの燃料ガス供給を遮断するための弁である。
【００２４】
レギュレータＨ２は、その上流側圧力（一次圧）を、予め設定した二次圧に調圧する装置であり、例えば、一次圧を減圧する機械式の減圧弁などで構成される。機械式の減圧弁は、背圧室と調圧室とがダイアフラムを隔てて形成された筺体を有し、背圧室内の背圧により調圧室内で一次圧を所定の圧力に減圧して二次圧とする構成を有する。インジェクタＦＳ２の上流側にレギュレータＨ２を配置することにより、インジェクタＦＳ２の上流側圧力を効果的に低減させることができる。
【００２５】
インジェクタＦＳ２は、弁体を電磁駆動力で直接的に所定の駆動周期で駆動して弁座から離隔させることによりガス流量やガス圧を調整することが可能な電磁駆動式の開閉弁である。インジェクタＦＳ２は、燃料ガス等の気体燃料を噴射する噴射孔を有する弁座と、その気体燃料を噴射孔まで供給案内するノズルボディと、このノズルボディに対して軸線方向（気体流れ方向）に移動可能に格納保持され噴射孔を開閉する弁体とを備えている。
【００２６】
インジェクタＦＳ２の弁体は電磁駆動装置であるソレノイドにより駆動され、コントローラＥＣから出力される制御信号によってインジェクタＦＳ２のガス噴射時間及びガス噴射時期を制御することが可能なように構成されている。インジェクタＦＳ２は、その下流に要求されるガス流量を供給するために、インジェクタＦＳ２のガス流路に設けられた弁体の開口面積（開度）及び開放時間の少なくとも一方を変更することにより、下流側に供給されるガス流量（又は水素モル濃度）を調整する。
【００２７】
循環流路ＦＳ４には、遮断弁Ｈ４が設けられ、排気排水流路ＦＳ６が接続されている。排気排水流路ＦＳ６には、排気排水弁Ｈ５が設けられている。排気排水弁Ｈ５は、コントローラＥＣからの指令によって作動することにより、循環流路ＦＳ４内の不純物を含む燃料オフガスと水分とを外部に排出するための弁である。排気排水弁Ｈ５の開弁により、循環流路ＦＳ４内の燃料オフガス中の不純物の濃度が下がり、循環系内を循環する燃料オフガス中の水素濃度を上げることができる。
【００２８】
排気排水弁Ｈ５を介して排出される燃料オフガスは、酸化オフガス流路ＡＳ４を流れる酸化オフガスと混合され、希釈器（図示せず）によって希釈される。循環ポンプＦＳ５は、循環系内の燃料オフガスをモータ駆動により燃料電池ＦＣに循環供給する。
【００２９】
電力系ＥＳは、ＤＣ／ＤＣコンバータＥＳ１と、バッテリＥＳ２と、トラクションインバータＥＳ３と、トラクションモータＥＳ４と、補機類ＥＳ５と、ＦＣ昇圧コンバータＥＳ６とを備えている。燃料電池システムＦＣＳは、ＤＣ／ＤＣコンバータＥＳ１とトラクションインバータＥＳ３とが並列に燃料電池ＦＣに接続するパラレルハイブリッドシステムとして構成されている。ＤＣ／ＤＣコンバータＥＳ１とトラクションインバータＥＳ３とはＰＣＵ（Ｐｏｗｅｒ  Ｃｏｎｔｒｏｌ  Ｕｎｉｔ）を構成している。
【００３０】
ＦＣ昇圧コンバータＥＳ６は、燃料電池ＦＣの出力電圧を昇圧してトラクションインバータＥＳ３及びトラクションモータＥＳ４に向けて出力する機能を有するＤＣ／ＤＣコンバータである。ＤＣ／ＤＣコンバータＥＳ１は、バッテリＥＳ２から供給される直流電圧を昇圧してトラクションインバータＥＳ３に出力する機能と、燃料電池ＦＣが発電した直流電力、又は回生制動によりトラクションモータＥＳ４が回収した回生電力を降圧してバッテリＥＳ２に充電する機能とを有する。ＤＣ／ＤＣコンバータＥＳ１のこれらの機能により、バッテリＥＳ２の充放電が制御される。また、ＤＣ／ＤＣコンバータＥＳ１による電圧変換制御により、燃料電池ＦＣの運転ポイント（出力端子電圧、出力電流）が制御される。燃料電池ＦＣには、電圧センサＳ１と電流センサＳ２とが取り付けられている。電圧センサＳ１は、燃料電池ＦＣの出力端子電圧をＦＣ昇圧コンバータＥＳ６が昇圧した電圧を検出するためのセンサである。電流センサＳ２は、燃料電池ＦＣの出力電流を検出するためのセンサである。また、昇圧コンバータＥＳ６とトラクションインバータＥＳ３との間には温度センサＳ７が取り付けられている。
【００３１】
バッテリＥＳ２は、余剰電力の貯蔵源、回生制動時の回生エネルギー貯蔵源、燃料電池車両の加速又は減速に伴う負荷変動時のエネルギーバッファとして機能する。バッテリＥＳ２としては、例えば、ニッケル・カドミウム蓄電池、ニッケル・水素蓄電池、リチウム二次電池等の二次電池が好適である。バッテリＥＳ２には、ＳＯＣ（Ｓｔａｔｅ  ｏｆ  ｃｈａｒｇｅ）を検出するためのＳＯＣセンサＳ３が取り付けられている。
【００３２】
トラクションインバータＥＳ３は、例えば、パルス幅変調方式で駆動されるＰＷＭインバータである。トラクションインバータＥＳ３は、コントローラＥＣからの制御指令に従って、燃料電池ＦＣ又はバッテリＥＳ２から出力される直流電圧を三相交流電圧に変換して、トラクションモータＥＳ４の回転トルクを制御する。トラクションモータＥＳ４は、例えば、三相交流モータであり、燃料電池車両の動力源を構成する。
【００３３】
補機類ＥＳ５は、燃料電池システムＦＣＳ内の各部に配置されている各モータ（例えば、ポンプ類などの動力源）、これらのモータを駆動するためのインバータ類、及び各種の車載補機類（例えば、エアコンプレッサ、インジェクタ、冷却水循環ポンプ、ラジエータなど）を総称するものである。
【００３４】
冷却系ＣＳは、ラジエータＣＳ１と、冷却液ポンプＣＳ２と、冷却液往路ＣＳ３と、冷却液復路ＣＳ４とを有している。ラジエータＣＳ１は、燃料電池ＦＣを冷却するための冷却液を放熱して冷却するものである。冷却液ポンプＣＳ２は、冷却液を燃料電池ＦＣとラジエータＣＳ１との間で循環させるためのポンプである。冷却液往路ＣＳ３は、ラジエータＣＳ１と燃料電池ＦＣとを繋ぐ流路であって、冷却液ポンプＣＳ２が設けられている。冷却液ポンプＣＳ２が駆動することで、冷却液はラジエータＣＳ１から燃料電池ＦＣへと冷却液往路ＣＳ３を通って流れる。冷却液復路ＣＳ４は、燃料電池ＦＣとラジエータＣＳ１とを繋ぐ流路であって、水温センサＳ５が設けられている。冷却液ポンプＣＳ２が駆動することで、燃料電池ＦＣを冷却した冷却液はラジエータＣＳ１へと還流する。
【００３５】
コントローラＥＣ（制御部）は、ＣＰＵ、ＲＯＭ、ＲＡＭ、及び入出力インタフェースを備えるコンピュータシステムであり、燃料電池システムＦＣＳの各部を制御するものである。例えば、コントローラＥＣは、イグニッションスイッチから出力される起動信号ＩＧを受信すると、燃料電池システムＦＣＳの運転を開始する。その後、コントローラＥＣは、アクセルセンサから出力されるアクセル開度信号ＡＣＣや、車速センサから出力される車速信号ＶＣなどを基に、燃料電池システムＦＣＳ全体の要求電力を求める。燃料電池システムＦＣＳ全体の要求電力は、車両走行電力と補機電力との合計値である。
【００３６】
ここで、補機電力には、車載補機類（加湿器、エアコンプレッサ、水素ポンプ、及び冷却水循環ポンプ等）で消費される電力、車両走行に必要な装置（変速機、車輪制御装置、操舵装置、及び懸架装置等）で消費される電力、乗員空間内に配設される装置（空調装置、照明器具、及びオーディオ等）で消費される電力などが含まれる。
【００３７】
そして、コントローラＥＣは、燃料電池ＦＣとバッテリＥＳ２とのそれぞれの出力電力の配分を決定する。コントローラＥＣは、燃料電池ＦＣの発電量が目標電力に一致するように、酸化ガス供給系ＡＳＳ及び燃料ガス供給系ＦＳＳを制御する。また、コントローラＥＣは、ＤＣ／ＤＣコンバータＥＳ１に指示信号を出力し、ＤＣ／ＤＣコンバータＥＳ１によるコンバータ制御を実行させ、燃料電池ＦＣの運転ポイント（出力端子電圧、出力電流）を制御する。更に、コントローラＥＣは、アクセル開度に応じた目標トルクが得られるように、例えば、スイッチング指令として、Ｕ相、Ｖ相、及びＷ相の各交流電圧指令値をトラクションインバータＥＳ３に出力し、トラクションモータＥＳ４の出力トルク、及び回転数を制御する。更に、コントローラＥＣは、冷却系ＣＳを制御して燃料電池ＦＣが適切な温度になるように制御する。
【００３８】
続いて、ＦＣ昇圧コンバータＥＳ６及びトラクションインバータＥＳ３の一方に異常が発生した場合に迅速に双方を停止させるための構成について図２を参照しながら説明する。図２は、図１のＦＣ昇圧コンバータＥＳ６及びトラクションインバータＥＳ３を含む部分について、より詳細に記載したブロック構成図である。
【００３９】
図２に示すように、ＦＣ昇圧コンバータＥＳ６には、ＦＣ昇圧コンバータＥＳ６を制御するためのコンバータ制御装置ＥＣａが設けられている。コンバータ制御装置ＥＣａは、コンバータ制御部ＥＣａ１を備えている。コンバータ制御部ＥＣａ１は、ＣＰＵ（Ｃｅｎｔｒａｌ  Ｐｒｏｃｅｓｓｉｎｇ  Ｕｎｉｔ）であって、信号線Ｌ１によってコントローラＥＣと繋がれており、コントローラＥＣとの間で所定の制御信号を授受するように構成されている。また、コンバータ制御部ＥＣａ１は、信号線ＥＣａ２によってＦＣ昇圧コンバータＥＳ６と繋がれており、ＦＣ昇圧コンバータＥＳ６に対して所定の制御信号を出力し、ＦＣ昇圧コンバータＥＳ６からは所定の状態信号（ＦＣ昇圧コンバータＥＳ６の状態を示す信号）を受け取ることが可能なように構成されている。従って、コンバータ制御部ＥＣａ１は、コントローラＥＣと制御信号の授受を行ってＦＣ昇圧コンバータＥＳ６を制御する部分として機能している。
【００４０】
一方、トラクションインバータＥＳ３には、トラクションインバータＥＳ３を制御するためのインバータ制御装置ＥＣｂが設けられている。インバータ制御装置ＥＣｂは、インバータ制御部ＥＣｂ１を備えている。インバータ制御部ＥＣｂ１は、ＣＰＵ（Ｃｅｎｔｒａｌ  Ｐｒｏｃｅｓｓｉｎｇ  Ｕｎｉｔ）であって、信号線Ｌ２によってコントローラＥＣと繋がれており、コントローラＥＣとの間で所定の制御信号を授受するように構成されている。インバータ制御部ＥＣｂ１は、信号線ＥＣｂ２によってトラクションインバータＥＳ３と繋がれており、トラクションインバータＥＳ３に対して所定の制御信号を出力し、トラクションインバータＥＳ３からは所定の状態信号（トラクションインバータＥＳ３の状態を示す信号）を受け取ることが可能なように構成されている。従って、インバータ制御部ＥＣｂ１は、コントローラＥＣと制御信号の授受を行ってトラクションインバータＥＳ３を制御する部分として機能している。
【００４１】
上述したような構成に対して、本実施形態では、異常信号線Ｌ３及び異常信号線Ｌ４を設けている。異常信号線Ｌ３は、ＦＣ昇圧コンバータＥＳ６で異常が発生した場合に、その異常発生を報知するための異常信号をトラクションインバータＥＳ３に対して送信するための信号線である。異常信号線Ｌ３は、ＦＣ昇圧コンバータＥＳ６から延出し、コンバータ制御装置ＥＣａ及びインバータ制御装置ＥＣｂを経由し、トラクションインバータＥＳ３に繋がっている。異常信号線Ｌ３は、コンバータ制御装置ＥＣａ及びインバータ制御装置ＥＣｂを経由するものの、コンバータ制御装置ＥＣａ内のコンバータ制御部ＥＣａ１及びインバータ制御装置ＥＣｂ内のインバータ制御部ＥＣｂ１は経由しておらず、実質的にＦＣ昇圧コンバータＥＳ６とトラクションインバータＥＳ３とを直接接続するハード線として機能している。従って、ＦＣ昇圧コンバータＥＳ６で異常が発生した場合に、その異常発生を報知するための異常信号は、情報処理がなされることなく直接的にトラクションインバータＥＳ３に伝達され、ＦＣ昇圧コンバータＥＳ６とトラクションインバータＥＳ３とを略同時に停止させることが可能となる。
【００４２】
異常信号線Ｌ４は、トラクションインバータＥＳ３で異常が発生した場合に、その異常発生を報知するための異常信号をＦＣ昇圧コンバータＥＳ６に対して送信するための信号線である。異常信号線Ｌ４は、トラクションインバータＥＳ３から延出し、インバータ制御装置ＥＣｂ及びコンバータ制御装置ＥＣａを経由し、ＦＣ昇圧コンバータＥＳ６に繋がっている。異常信号線Ｌ４は、インバータ制御装置ＥＣｂ及びコンバータ制御装置ＥＣａを経由するものの、インバータ制御装置ＥＣｂ内のインバータ制御部ＥＣｂ１及びコンバータ制御装置ＥＣａ内のコンバータ制御部ＥＣａ１は経由しておらず、実質的にトラクションインバータＥＳ３とＦＣ昇圧コンバータＥＳ６とを直接接続するハード線として機能している。従って、トラクションインバータＥＳ３で異常が発生した場合に、その異常発生を報知するための異常信号は、情報処理がなされることなく直接的にＦＣ昇圧コンバータＥＳ６に伝達され、トラクションインバータＥＳ３とＦＣ昇圧コンバータＥＳ６とを略同時に停止させることが可能となる。
【符号の説明】
【００４３】
ＦＣＳ：燃料電池システム
ＦＣ：燃料電池
ＡＳＳ：酸化ガス供給系
ＡＳ１：フィルタ
ＡＳ２：エアコンプレッサ
ＡＳ３：酸化ガス流路
ＡＳ４：酸化オフガス流路
ＡＳ５：加湿器
Ａ３：背圧調整弁
ＣＳ：冷却系
ＣＳ１：ラジエータ
ＣＳ２：冷却液ポンプ
ＣＳ３：冷却液往路
ＣＳ４：冷却液復路
ＦＳＳ：燃料ガス供給系
ＦＳ１：燃料ガス供給源
ＦＳ２：インジェクタ
ＦＳ３：燃料ガス流路
ＦＳ４：循環流路
ＦＳ５：循環ポンプ
ＦＳ６：排気排水流路
Ｈ１：遮断弁
Ｈ２：レギュレータ
Ｈ３：遮断弁
Ｈ４：遮断弁
Ｈ５：排気排水弁
ＥＳ：電力系
ＥＳ１：ＤＣ／ＤＣコンバータ
ＥＳ２：バッテリ
ＥＳ３：トラクションインバータ
ＥＳ４：トラクションモータ
ＥＳ５：補機類
ＥＳ６：ＦＣ昇圧コンバータ
ＥＣ：コントローラ
Ｓ１：電圧センサ
Ｓ２：電流センサ
Ｓ３：ＳＯＣセンサ
Ｓ４，Ｓ６：圧力センサ
Ｓ５：水温センサ
ＡＣＣ：アクセル開度信号
ＩＧ：起動信号
ＶＣ：車速信号
【図１】
2011013213.tif 000003
【図２】
2011013213.tif 000004
【国際調査報告】
2011013213.tif 000005
2011013213.tif 000006
2011013213.tif 000007
2011013213.tif 000008